(57)【要約】【課題】液体噴射ヘッドのノズルと着弾対象との間の距離が変化する場合においても、ノズルから噴射される液体の着弾対象上における着弾位置を適切に調整することが可能な液体噴射装置を提供する。【解決手段】駆動信号生成回路は、プラテンギャップ、当該プラテンギャップを飛翔するインクの飛翔速度又は到達時間、および、記録ヘッドと記録媒体との相対速度に基づいて駆動パルスの発生タイミングが設定された駆動信号を、予め定められた段階的に異なる複数のプラテンギャップ（プラテンギャップレベル）に応じて発生可能であり、プラテンギャップに基づきノズル列毎に駆動信号が選択される。【選択図】図９
2011235518.tif 000002
【特許請求の範囲】
【請求項１】
複数のノズルをヘッド移動方向に交差する方向に列設してなるノズル群を前記ヘッド移動方向に複数並べて有し、噴射パルスの印加により圧力発生部を駆動することでノズルから液体を噴射して着弾対象に着弾させる液体噴射ヘッドと、
前記噴射パルスを含む駆動信号を発生する駆動信号発生部と、
前記液体噴射ヘッドと着弾対象とを相対移動させる移動部と、
前記ノズルと前記噴射対象との距離に応じて前記ノズルからの液体の噴射タイミングをノズル群毎に変更させる制御部と、を備え、
前記駆動信号発生部は、前記距離、当該距離を飛翔する液体の飛翔速度又は飛翔時間、および、前記液体噴射ヘッドと前記着弾対象との相対速度に基づいて前記噴射パルスの発生タイミングが設定された駆動信号を、予め定められた段階的に異なる複数の距離に応じて発生可能であり、
前記制御部は、前記距離に基づき前記ノズル群毎に駆動信号を選択することを特徴とする液体噴射装置。
【請求項２】
複数種類の噴射モードを選択可能に構成され、
噴射モード毎に前記駆動信号における噴射パルスの発生タイミングが設定され、
前記制御部は、前記噴射モード毎および前記ノズル群毎に駆動信号を選択することを特徴とする請求項１に記載の液体噴射装置。
【請求項３】
前記駆動信号発生部は、前記着弾対象に着弾して形成されるドットの大きさが異なる複数種類の噴射パルスを駆動信号に含み、
噴射パルス毎に発生タイミングが設定されたことを特徴とする請求項１又は請求項２に記載の液体噴射装置。
【請求項４】
前記飛翔速度は、前記液体噴射ヘッドと前記着弾対象との間における平均飛翔速度であることを特徴とする請求項１から請求項３の何れか一項に記載の液体噴射装置。
【発明の詳細な説明】
【技術分野】
【０００１】
本発明は、インクジェット式プリンター等の液体噴射装置に関するものであり、特に、着弾対象に対する液体の着弾位置ずれを抑制可能な液体噴射装置に関するものである。
【背景技術】
【０００２】
液体噴射装置は、ノズルから液体を噴射可能な液体噴射ヘッドを備え、この液体噴射ヘッドから各種の液体を噴射する装置である。この液体噴射装置の代表的なものとして、例えば、液体噴射ヘッドとしてのインクジェット式記録ヘッド（以下、単に記録ヘッドという）を備え、この記録ヘッドのノズルから液体状のインクを記録紙等の記録媒体（着弾対象物）に対して噴射・着弾させることで画像等の記録を行うインクジェット式プリンター（以下、単にプリンターという。）等の画像記録装置を挙げることができる。また、近年においては、この画像記録装置に限らず、液晶ディスプレイ等のカラーフィルターの製造装置等、各種の製造装置にも液体噴射装置が応用されている。
【０００３】
上記の液体噴射装置の一種であるインクジェット式プリンター（以下、単にプリンターという）としては、噴射パルスの供給によりインク滴を噴射可能に構成されたインクジェット式記録ヘッド（液体噴射ヘッドの一種。以下、単に記録ヘッドという。）と、この記録ヘッドを記録用紙や樹脂フィルム等の記録媒体（噴射対象の一種）の幅方向、即ち、主走査方向に往復移動させ得るヘッド走査機構を備え、記録ヘッドの往動時と復動時の双方でインク滴を噴射させて記録を行う所謂双方向記録が可能なものも提案されている。
【０００４】
ところで、上記プリンターにおいて記録ヘッドのノズルからインクを噴射させる場合、インクは、噴射されてから空気抵抗等の影響により、記録媒体に着弾するまでの間に飛翔速度（記録ヘッドのノズル形成面に垂直な方向の速度）が変化する。また、噴射されるノズルから記録媒体までの距離（より詳しくは、ノズルから、当該ノズルから噴射されたインクの記録媒体上における着弾位置（又は仮想上の着弾予定位置）までの鉛直距離。以下、ギャップという。）により飛翔速度の変化の度合いも異なる。上記のギャップは、記録用紙が撓んだり、記録用紙がインク等を吸収することで波打つ所謂コックリング現象が生じたりした場合、記録ヘッドの走査位置に応じて変化する。
【先行技術文献】
【特許文献】
【０００５】
【特許文献１】特開２００９−０８３５１２号公報
【発明の概要】
【発明が解決しようとする課題】
【０００６】
上記のように、記録ヘッドのノズルから記録媒体までのギャップが変化してもインクの飛翔速度が一定であるという前提で記録媒体上の着弾位置を推定すると、本来目標とする着弾位置にインクが着弾しないこととなる。その結果、例えば、記録媒体上にドットをマトリクス状に並べることで画像等を形成する場合には、当該画像の画質に悪影響を及ぼす可能性がある。なお、このような問題は、インク滴を噴射するインクジェット式記録ヘッドを搭載したインクジェット式記録装置だけではなく、インク以外の液滴を噴射する他の液体噴射ヘッドを搭載した液体噴射装置においても同様に存在する。
【０００７】
本発明は、このような事情に鑑みてなされたものであり、その目的は、液体噴射ヘッドのノズルと着弾対象との間の距離が変化する場合においても、ノズルから噴射される液体の着弾対象上における着弾位置を適切に調整することが可能な液体噴射装置を提供することにある。
【課題を解決するための手段】
【０００８】
本発明は、上記目的を達成するために提案されたものであり、複数のノズルをヘッド移動方向に交差する方向に列設してなるノズル群を前記ヘッド移動方向に複数並べて有し、噴射パルスの印加により圧力発生部を駆動することでノズルから液体を噴射して着弾対象に着弾させる液体噴射ヘッドと、
前記噴射パルスを含む駆動信号を発生する駆動信号発生部と、
前記液体噴射ヘッドと着弾対象とを相対移動させる移動部と、
前記液体噴射ヘッドと着弾対象との間の距離に応じて前記ノズルからの液体の噴射タイミングをノズル群毎に変更させる制御部と、を備え、
前記駆動信号発生部は、前記距離、当該距離を飛翔する液体の飛翔速度又は飛翔時間、および、前記液体噴射ヘッドと前記着弾対象との相対速度に基づいて前記噴射パルスの発生タイミングが設定された駆動信号を、予め定められた段階的に異なる複数の距離に応じて発生可能であり、
前記制御部は、前記距離に基づき前記ノズル群毎に駆動信号を選択することを特徴とする。
「ノズルと噴射対象との距離」とは、液体が噴射されるノズルから噴射対象上における液体の着弾位置（又は仮想上の着弾予定位置）までの鉛直距離を意味する。
【０００９】
本発明によれば、ノズルと噴射対象との距離に基づきノズル群毎に駆動信号が選択されて、当該駆動信号を用いて液体の噴射が行われるので、噴射対象に撓み等が生じて、ノズルから着弾対象までの距離が相対移動方向の位置に応じて異なる場合においても、各ノズル群のノズルから噴射された液体が噴射対象上の本来目標とする位置に着弾されるように噴射タイミングが変更される。これにより、各ノズル群において噴射対象に対する液体の着弾位置ずれが抑制される。その結果、着弾対象に画像等を記録する場合に、記録画像等の画質が低下することが抑制される。
【００１０】
上記実施形態において、複数種類の噴射モードを選択可能に構成され、
噴射モード毎に前記駆動信号における噴射パルスの発生タイミングが設定され、
前記制御部は、前記噴射モード毎および前記ノズル群毎に駆動信号を選択することが望ましい。
なお、「噴射モード」とは、ノズルから噴射される液体の量をより多くすることで、着弾対象上のより広い範囲に液体を着弾させて、より早く着弾対象上の所定の範囲を液体で埋めるモードや、ノズルから噴射される液体の量をより少なくすることで、着弾対象上のより狭い範囲に液体を着弾させて、より精細な画像等を形成するモードなど、噴射される液体の量が用途に応じてそれぞれ異なる各種のモードを意味する。
【００１１】
上記構成によれば、噴射モード毎にノズルから噴射される液体の量が異なる場合であっても、噴射モードの違いに応じて、より適切なタイミングでインクを噴射することが可能となる。これにより、噴射モードの違いによる着弾位置ずれを抑制することができる。
【００１２】
また、上記構成において、前記駆動信号発生部は、前記着弾対象に着弾して形成されるドットの大きさが異なる複数種類の噴射パルスを駆動信号に含み、
噴射パルス毎に発生タイミングが設定される構成を採用することが望ましい。
【００１３】
上記構成によれば、着弾対象に形成するドットのサイズの違いに応じて、より適切なタイミングで液体を噴射することが可能となる。これにより、ドットのサイズの違いによる着弾位置ずれを抑制することができる。
【００１４】
また、上記構成において、前記飛翔速度は、前記液体噴射ヘッドと前記着弾対象との間における平均飛翔速度である構成を採用することが望ましい。
【００１５】
上記構成によれば、ノズルから噴射されて着弾対象に着弾するまでの間に、液体の飛翔速度が変化する場合においても、液体の着弾位置を適切な位置に調整することができる。
【図面の簡単な説明】
【００１６】
【図１】プリンターの電気的な構成を説明するブロック図である。
【図２】プリンターの内部構成を説明する斜視図である。
【図３】記録ヘッドの要部断面図である。
【図４】ノズルプレートの構成を説明する平面図である。
【図５】インクの着弾位置ずれ及びタイミング調整について説明する模式図である。
【図６】（ａ）はギャップに対するインクの平均速度を示すグラフ、（ｂ）はギャップに対するインクの平均速度を示すテーブルである。
【図７】（ａ）はギャップに対するインクの到達時間を示すグラフ、（ｂ）はギャップに対するインクの到達時間を示すテーブルである。
【図８】ギャップに対するインクの着弾位置ずれ量を示すグラフである。
【図９】噴射タイミング調整処理の流れを説明するフローチャートである。
【図１０】駆動信号の構成を説明する波形図である。
【図１１】（ａ）〜（ｃ）は記録媒体にインクを着弾させたときの着弾位置ずれについて説明するイメージ図である。
【発明を実施するための形態】
【００１７】
以下、本発明を実施するための形態を、添付図面を参照して説明する。なお、以下に述べる実施の形態では、本発明の好適な具体例として種々の限定がされているが、本発明の範囲は、以下の説明において特に本発明を限定する旨の記載がない限り、これらの態様に限られるものではない。また、以下においては、本発明の液体噴射装置として、インクジェット式記録装置（以下、プリンター）を例に挙げて説明する。
【００１８】
図１は、プリンター１の電気的な構成を説明するブロック図である。また、図２は、プリンター１の内部構成を説明する斜視図である。
例示したプリンター１は、記録用紙、布、樹脂フィルム等の記録媒体Ｓに向けて、液体の一種であるインクを噴射する。記録媒体Ｓは、液体が噴射されて着弾する対象となる着弾対象である。外部装置としてのコンピューターＣＰは、プリンター１と通信可能に接続されている。プリンター１に画像を印刷させるため、コンピューターＣＰは、その画像に応じた印刷データをプリンター１に送信する。
【００１９】
本実施形態におけるプリンター１は、搬送機構２、キャリッジ用移動機構３（移動部の一種）、駆動信号生成回路４（駆動信号発生部の一種）、ヘッドユニット５、検出器群６、及び、プリンターコントローラー７（本発明における制御部の一種）を有する。搬送機構２は、記録媒体Ｓを搬送方向に搬送させる。キャリッジ用移動機構３は、ヘッドユニット５が取り付けられたキャリッジを所定の移動方向（例えば紙幅方向）に移動させる。駆動信号生成回路４は、図示しないＤＡＣ（Digital Analog Converter）を含む。そして、プリンターコントローラー７から送られた駆動信号の波形に関する波形データに基づいて、アナログの電圧信号を生成する。また、駆動信号生成回路４は図示しない増幅回路も含んでおり、ＤＡＣからの電圧信号を電力増幅し、駆動信号ＣＯＭを生成する。本実施形態において、駆動信号生成回路４は、ＣＯＭ１、ＣＯＭ２、及びＣＯＭ３の３種類の駆動信号を発生するように構成されている。これらの駆動信号ＣＯＭは、記録媒体に対する印刷処理（記録処理或いは噴射処理の一種）時に記録ヘッド８の圧電振動子３２（図３参照）に印加されるものであり、図１０に一例を示すように、駆動信号ＣＯＭの繰り返し周期である単位期間Ｔ内に噴射パルスＰＳを少なくとも１つ以上含む一連の信号である。ここで、噴射パルスＰＳとは、記録ヘッド８から液滴状のインクを噴射させるために、圧電振動子３２に所定の動作を行わせるものである。なお、各駆動信号ＣＯＭの詳細については後述する。
【００２０】
ヘッドユニット５は、記録ヘッド８およびヘッド制御部１１を有する。記録ヘッド８は、液体噴射ヘッドの一種であり、インクを記録媒体Ｓに向けて噴射させて、当該記録媒体Ｓに着弾させてドットを形成する。このドットを複数マトリクス状に並べることで記録媒体Ｓに画像等が記録される。ヘッド制御部１１は、プリンターコントローラー７からのヘッド制御信号に基づき、記録ヘッド８を制御する。なお、記録ヘッド８の構成については後で説明する。検出器群６は、プリンター１の状況を監視する複数の検出器によって構成され、記録ヘッド８のノズル形成面（ノズルプレート３７のインクを噴射する側の面）からプラテン１６上の記録媒体Ｓの記録面（インク着弾面）までの距離を検出するギャップ検出器（図示せず）を含む。これらの検出器による検出結果は、プリンターコントローラー７に出力される。プリンターコントローラー７は、プリンター１における全体的な制御を行う。なお、ギャップ検出器としては、記録ヘッド８のノズル形成面側から記録媒体Ｓに向けてレーザー光を照射する発光部と、記録媒体Ｓからの反射光を受光する受光部と、を備え、受光部の検出結果に基づいて上記距離（プラテンギャップＰＧ）を検出する構成を採用することができる。
【００２１】
搬送機構２は、記録ヘッド８の走査方向に直交する方向（以下、搬送方向という）に記録媒体Ｓを搬送させるための機構である。この搬送機構２は、搬送モーター１４と、搬送ローラー１５と、プラテン１６と、を有する。搬送ローラー１５は、記録媒体Ｓを印刷可能な領域であるプラテン１６上まで搬送するローラーであり、搬送モーター１４によって駆動される。プラテン１６は、印刷中の記録媒体Ｓを支持する。
【００２２】
プリンターコントローラー７は、プリンターの制御を行うための制御ユニットである。プリンターコントローラー７は、インターフェース部２４と、ＣＰＵ２５と、メモリー２６（記憶部の一種）とを有する。インターフェース部２４は、外部装置であるコンピューターＣＰとプリンター１との間でデータの送受信を行う。ＣＰＵ２５は、プリンター全体の制御を行うための演算処理装置である。メモリー２６は、ＣＰＵ２５のプログラムを格納する領域や作業領域等を確保するためのものであり、ＲＡＭ、ＥＥＰＲＯＭ等の記憶素子を有する。ＣＰＵ２５は、メモリー２６に格納されているプログラムに従って、各ユニットを制御する。
【００２３】
図２に示すように、キャリッジ１２は、主走査方向に架設されたガイドロッド１９に軸支された状態で取り付けられており、キャリッジ用移動機構３の作動により、ガイドロッド１９に沿って記録媒体Ｓの搬送方向に直交する主走査方向に往復移動するように構成されている。キャリッジ１２の主走査方向の位置は、リニアエンコーダー２０によって検出され、その検出信号、即ち、エンコーダーパルス（位置情報の一種）がプリンターコントローラー７のＣＰＵ２５に送信される。リニアエンコーダー２０は位置情報出力手段の一種であり、記録ヘッド８の走査位置に応じたエンコーダーパルスを、主走査方向における位置情報として出力する。本実施形態におけるリニアエンコーダー２０は、プリンター１の筐体内側に主走査方向に沿って設けられたスケール２０ａ（エンコーダフィルム）と、キャリッジ１２の背面に取り付けられたフォトインタラプタ（図示せず）とを備えている。スケール２０ａは透明な樹脂製フィルムによって作製された帯状（バンド状）部材であり、例えば、透明なベースフィルムの表面に帯幅方向を横断する不透明なストライプが複数印刷されたものである。各ストライプは、同じ幅とされ、帯長手方向に一定ピッチ、例えば１８０ｄｐｉに相当するピッチで形成されている。また、フォトインタラプタは、互いに対向配置された一対の発光素子と受光素子とによって構成され、スケール２０ａの透明部分での受光状態とストライプ部分での受光状態の差異に応じてエンコーダーパルスを出力するようになっている。
【００２４】
ストライプは同じ幅のものが一定ピッチで形成されているため、キャリッジ１２の移動速度が一定であれば、エンコーダーパルスＥＰは一定間隔で出力される一方、キャリッジ１２の移動速度が一定でない場合（加速中又は減速中）では、エンコーダーパルスＥＰの間隔はキャリッジの移動速度に応じて変化する。そして、このエンコーダーパルスＥＰはプリンターコントローラー７に入力されている。このため、プリンターコントローラー７は、受信したエンコーダーパルスＥＰに基づいてキャリッジ１２に搭載された記録ヘッド８の走査位置を認識できる。即ち、例えば、受信したエンコーダーパルスＥＰをカウントすることで、キャリッジ１２の位置を認識することができる。これにより、プリンターコントローラー７はこのリニアエンコーダー２０からのエンコーダーパルスＥＰに基づいてキャリッジ１２（記録ヘッド８）の走査位置を認識しながら、記録ヘッド８による記録動作を制御することができる。そして、プリンター１は、このホームポジションから反対側の端部（フルポジション）へ向けてキャリッジ１２が移動する往動時と、フルポジションからホームポジション側にキャリッジ１２が戻る復動時との双方向で記録紙Ｓ上に文字や画像等を記録する所謂双方向記録処理（印刷処理・噴射処理）が可能に構成されている。
【００２５】
上記リニアエンコーダー２０からのエンコーダーパルスＥＰは、プリンターコントローラー７に入力されている。プリンターコントローラー７は、このエンコーダーパルスＥＰからタイミングパルスＰＴＳ（Print Timing Signal）を生成し、このタイミングパルスＰＴＳに同期させて印刷データの転送や駆動信号ＣＯＭの発生等を行っている。そして、駆動信号生成回路４は、タイミングパルスＰＴＳに基づくタイミングで駆動信号ＣＯＭを出力する。また、プリンターコントローラー７は、タイミングパルスＰＴＳに基づいて、ラッチ信号ＬＡＴ等のタイミング信号を生成して記録ヘッド８に出力する。ラッチ信号ＬＡＴは、記録周期の開始タイミングを規定する信号である。したがって、駆動信号ＣＯＭ（図１０参照）の発生単位周期Ｔは、このラッチ信号ＬＡＴで区切られる区間であると言える。
【００２６】
次に、図３を参照しながら記録ヘッド８の構成について説明する。
記録ヘッド８は、ケース２８と、このケース２８内に収納される振動子ユニット２９と、ケース２８の底面（先端面）に接合される流路ユニット３０等を備えている。上記のケース２８は、例えば、エポキシ系樹脂により作製され、その内部には振動子ユニット２９を収納するための収納空部３１が形成されている。振動子ユニット２９は、圧力発生部の一種として機能する圧電振動子３２と、この圧電振動子３２が接合される固定板３３と、圧電振動子３２に駆動信号等を供給するためのフレキシブルケーブル３４とを備えている。圧電振動子３２は、圧電体層と電極層とを交互に積層した圧電板を櫛歯状に切り分けることで作製された積層型であって、積層方向（電界方向）に直交する方向に伸縮可能（電界横効果型）な縦振動モードの圧電振動子である。
【００２７】
流路ユニット３０は、流路基板３６の一方の面にノズルプレート３７を、流路基板３６の他方の面に振動板３８をそれぞれ接合して構成されている。この流路ユニット３０には、リザーバー３９（共通液体室）と、インク供給口４０と、圧力室４１と、ノズル連通口４２と、ノズル４３と、が設けられている。そして、インク供給口４０から圧力室４１及びノズル連通口４２を経てノズル４３に至る一連のインク流路が、各ノズル４３に対応して形成されている。
【００２８】
図４は、ノズルプレート３７の構成を説明する平面図である。同図において横方向が、記録ヘッド８が記録媒体Ｓに対して移動する主走査方向（相対移動方向の一種）であり、縦方向が、記録媒体Ｓの搬送方向、即ち、副走査方向である。上記ノズルプレート３７は、ドット形成密度に対応したピッチ（例えば１８０ｄｐｉ）で複数（例えば、９０個）のノズル４３が副走査方向に沿って列状に穿設された部材であり、本実施形態では、例えば、ステンレス鋼によって作製されている。また、ノズルプレート３７は、シリコン単結晶基板によって作製される場合もある。本実施形態におけるノズルプレート３７には、４つのノズル列Ａ〜Ｄ（ノズル群の一種）が主走査方向に沿って並べて形成されている。
【００２９】
上記振動板３８は、支持板４５の表面に弾性体膜４６を積層した二重構造である。本実施形態では、金属板の一種であるステンレス板を支持板４５とし、この支持板４５の表面に樹脂フィルムを弾性体膜４６としてラミネートした複合板材を用いて振動板３８を作製している。この振動板３８には、圧力室４１の容積を変化させるダイヤフラム部４７が設けられている。また、この振動板３８には、リザーバー３９の一部を封止するコンプライアンス部４８が設けられている。
【００３０】
上記のダイヤフラム部４７は、エッチング加工等によって支持板４５を部分的に除去することで作製される。即ち、このダイヤフラム部４７は、圧電振動子３２の自由端部の先端面が接合される島部４９と、この島部４９を囲む薄肉弾性部５０と、からなる。上記のコンプライアンス部４８は、リザーバー３９の開口面に対向する領域の支持板４５を、ダイヤフラム部４７と同様にエッチング加工等によって除去することにより作製され、リザーバー３９に貯留された液体の圧力変動を吸収するダンパーとして機能する。
【００３１】
そして、上記の島部４９には圧電振動子３２の先端面が接合されているので、この圧電振動子３２の自由端部を伸縮させることで圧力室４１の容積を変動させることができる。この容積変動に伴って圧力室４１内のインクに圧力変動が生じる。そして、記録ヘッド８は、この圧力変動を利用してノズル４３からインク滴を噴射させるようになっている。
【００３２】
次に、本発明の特徴である着弾位置ずれ調整の基本概念について説明する。
図５は、記録ヘッド８のノズル４３から記録媒体Ｓに向けてインクを噴射させたときの、記録媒体Ｓの撓みに起因するインクの着弾位置ずれ及びその調整について説明する模式図である。本実施形態におけるプリンター１は、インクを噴射する基準となる時間に対して噴射タイミングを変更してインクを噴射することができるように構成されている。これは、以下に説明するように、インクを噴射するノズル４３から記録媒体Ｓまでの距離（より詳しくは、ノズル４３から、当該ノズル４３から噴射されたインクの記録媒体Ｓ上における着弾位置（又は仮想上の着弾予定位置）までの鉛直距離であり、本発明における「距離」に相当する。以下、プラテンギャップＰＧという。）の変化によってインクの着弾位置が変わってしまうことから、インクの噴射タイミングを調整することで、本来目標とする着弾位置にインクを着弾させようとするものである。なお、噴射タイミングは、記録媒体Ｓに撓み等が生じていない理想状態におけるプラテンギャップＰＧ（後述するＰＧ０）でインクを噴射するときのタイミング（デフォルトのタイミング）を基準として、ＰＧ０からの変化の度合いに応じて設定される。
【００３３】
図５では、記録ヘッド８における２つのノズル列Ａ，Ｂについての例が示されており、記録ヘッド８が記録媒体Ｓに対して図における左側から右側に移動しながら所定のタイミングでインクを噴射するときの様子が、主走査方向に直交する横方向から見た状態で示されている。ノズル列Ａとノズル列Ｂとの距離は、Ｐｉｔｃｈ（ａ−ｂ）として示されている。また、ノズル列Ａのノズル４３が原点（０，０）とされ（ノズル列Ｂに対するタイミング調整を行う場合には、ノズル列Ｂのノズル４３が原点（０，０））、Ｘ軸がノズル形成面に一致している。また、ノズル形成面に垂直な方向（鉛直方向）にＹ軸が採られている。Ｖｃｒはキャリッジ１２の移動速度（即ち、記録ヘッド８の移動速度であり、本発明における相対速度に相当。）である。なお、Ｖｃｒに関し、記録ヘッド８の位置を固定して当該記録ヘッド８に対して記録媒体Ｓを相対的に移動させながら印刷を行う構成では、記録媒体Ｓの移動速度となる場合がある。Ｖｍは、インクのＹ軸方向の速度成分であり、記録媒体Ｓに着弾するまでの平均速度である。インクの飛翔速度をその平均速度として示したのは、空気抵抗等の影響によりノズル４３から噴射されてから記録媒体Ｓに着弾するまでにインクの飛翔速度が刻々と変化するためである。したがって、ＶｍはプラテンギャップＰＧに応じて異なる。この点の詳細については後述する。また、Ｌは、ノズル４３から着弾位置までのＸ軸方向におけるインクの飛翔距離である。
【００３４】
図５におけるＰＧ０は、記録媒体Ｓに撓み（コックリング現象）等が生じていない理想的な状態の記録媒体Ｓの記録面（インク着弾面）のＹ軸方向の位置を示している。これに対し、実際の記録媒体Ｓでは撓みが発生しており、Ｘ軸方向で見てＰＧは一定となっていない。同図の一番下には、記録媒体Ｓにおける着弾位置（仮想的なものも含む）が、平面で見た状態で図示されている。なお、白丸に対応するドットの着弾位置が、本来目標とする理想的な着弾位置である。Ｘ軸上でノズル列Ａに対応する着弾位置はＤａｘで示され、ノズル列Ｂに対応する着弾位置はＤｂｘで示されている。黒丸に対応するドットの着弾位置は、本発明に係るタイミング調整をしていない状態で（即ち、本実施形態においては、第１の駆動信号ＣＯＭ１（図１０参照）を用いて）インクを噴射したときの着弾位置であり、Ｘ軸上においてノズル列Ａに対応する着弾位置はＤａで示され、ノズル列Ｂに対応する着弾位置はＤｂで示されている。ノズル列Ａのノズル４３から噴射されたインク滴の記録媒体Ｓ上の着弾位置ＤａにおけるプラテンギャップＰＧａと、ノズル列Ｂのノズル４３から噴射されたインク滴の記録媒体Ｓ上の着弾位置ＤｂにおけるプラテンギャップＰＧｂとは異なっており、また、何れもＰＧ０とは異なっている。
なお、速度成分Ｖｍ、時間成分Ｔ、及び距離成分Ｌに対する添え字に関し、ａはノズル列Ａに対応するもの、ｂはノズル列Ｂに対応するもの、０はＰＧ０上の目標の着弾位置に着弾させることを想定したときのもの、をそれぞれ示している。
【００３５】
まず、ノズル列Ａに対する噴射タイミングの調整量（調整時間ΔＴａ）の算出方法について説明する。
タイミング調整をしていない状態でノズル列Ａのノズル４３から噴射されたインク滴の記録媒体Ｓ上の着弾位置Ｄａは、目標とする着弾位置Ｄａｘに対してΔＬａだけヘッド移動方向、即ち主走査方向の先方側（記録ヘッド８の移動方向を基準として下流側）にずれている。したがって、ΔＬａだけヘッド移動方向の後方側に着弾するように、ノズル列Ａのノズル４３からインクを噴射するタイミングを早めるように調整する必要がある。このΔＬａに対応する調整時間がΔＴａとして示されている。ここで、ΔＬａ＝Ｌａ−Ｌ０で表される。また、Ｌ０およびＬａについてはそれぞれ以下の式で表される。
Ｌ０＝Ｖｃｒ０×ＰＧ０／Ｖｍ０
Ｌａ＝Ｖｃｒａ×ＰＧａ／Ｖｍａ
そして、調整時間ΔＴａは以下のようにして求められる。
ΔＴａ＝−ΔＬａ／Ｖｃｒａ
＝−（Ｌａ−Ｌ０）／Ｖｃｒａ＝（Ｌ０−Ｌａ）／Ｖｃｒａ
＝｛（Ｖｃｒ０×ＰＧ０／Ｖｍ０）−（Ｖｃｒａ×ＰＧａ／Ｖｍａ）｝／Ｖｃｒａ
＝（Ｖｃｒ０×ＰＧ０／Ｖｍ０）／Ｖｃｒａ−ＰＧａ／Ｖｍａ
＝（ＰＧ０／Ｖｍ０）×｛Ｖｃｒ０／Ｖｃｒａ−（ＰＧａ／ＰＧ０）／（Ｖｍａ／Ｖｍ０）｝…（１）
【００３６】
図５では、ノズル列Ａのノズル４３からインクを噴射するタイミングを、調整前のタイミングを基準として早めることを前提として上記式（１）を導出している。したがって、ΔＴａの値が正の時は、噴射タイミングを基準に対して遅らせることになる。一方、ΔＴａの値が負の時は、噴射タイミングを基準に対して早めることになる。
【００３７】
ノズル列Ｂやその他のノズル列に対する噴射タイミングの調整量の算出方法についても、ノズル列Ａと同様である。ノズル列Ｂの場合、図５の例では、ΔＬｂだけヘッド移動方向の後方側に着弾するように、ノズル列Ｂのノズル４３からインクを噴射するタイミングを早めるように調整する必要がある。このΔＬｂに対応する調整時間はΔＴｂである。そして、ΔＬｂ＝Ｌｂ−Ｌ０で表される。また、Ｌｂは以下の式で表される。Ｌ０については、上述した通りである。なお、ノズル列Ａからインクを噴射する時点におけるキャリッジ移動速度Ｖｃｒａとノズル列Ｂからインクを噴射する時点におけるキャリッジ移動速度Ｖｃｒｂとは、各ノズル列の噴射タイミングの相違は僅かであるから、著しく変動することがないので、Ｖｃｒａ≒Ｖｃｒｂとすることもできる。
Ｌｂ＝Ｖｃｒｂ×ＰＧｂ／Ｖｍｂ
そして、調整時間ΔＴｂは以下のようにして求められる。
ΔＴｂ＝−ΔＬｂ／Ｖｃｒｂ
＝−（Ｌｂ−Ｌ０）／Ｖｃｒｂ＝（Ｌ０−Ｌｂ）／Ｖｃｒｂ
＝｛（Ｖｃｒ０×ＰＧ０／Ｖｍ０）−（Ｖｃｒｂ×ＰＧｂ／Ｖｍｂ）｝／Ｖｃｒｂ
＝（Ｖｃｒ０×ＰＧ０／Ｖｍ０）／Ｖｃｒｂ−ＰＧｂ／Ｖｍｂ
＝（ＰＧ０／Ｖｍ０）×｛Ｖｃｒ０／Ｖｃｒｂ−（ＰＧｂ／ＰＧ０）／（Ｖｍｂ／Ｖｍ０）｝…（２）
上記式（２）も上記式（１）と同様に、ΔＴｂの値が正の時は、噴射タイミングを基準に対して遅らせる一方、ΔＴａの値が負の時は、噴射タイミングを基準に対して早めることになる。
【００３８】
図６（ａ）は、上記プラテンギャップＰＧに対するインクの平均速度Ｖｍを示すグラフである。図において、横軸はプラテンギャップＰＧの大きさであり、縦軸は平均速度Ｖｍを示している。なお、平均速度Ｖｍについては、プラテンギャップＰＧが０．７７ｍｍの場合を１００％としたときの割合で示している。また図６（ｂ）は、プラテンギャップＰＧとインクの平均速度Ｖｍとを対応付けたテーブルである。上記式（１）及び（２）によれば、プラテンギャップＰＧが変化してもインクの平均速度Ｖｍが一定であれば、理想値であるプラテンギャップＰＧ０からの変化分に対応する値だけインクの噴射タイミングを調整すればよいことになる。しかしながら、実際のインクの平均速度Ｖｍは、プラテンギャップＰＧの変化とともに変化し、かつその変化量は一定ではない。プラテンギャップＰＧの線形的な変化に対し、平均速度Ｖｍの変化は非線形となっている。
【００３９】
図７（ａ）は、上記プラテンギャップＰＧに対するインクの記録媒体Ｓへの到達時間Ｔｉｍｅ（本発明における飛翔時間に相当）を示すグラフである。同図において、横軸はプラテンギャップＰＧの大きさを示し、縦軸は到達時間を示している。到達時間Ｔｉｍｅは、プラテンギャップＰＧが２．６９ｍｍのときの到達時間を１００％としたときの割合で示されている。また、図７（ｂ）はプラテンギャップＰＧとインクの到達時間とを対応させたテーブルを示している。図７において、プラテンギャップが比較的小さい領域（例えば、０．５ｍｍ〜１．０ｍｍ）において、プラテンギャップＰＧと到達時間Ｔｉｍｅとの関係は、ほぼ比例関係となっている。しかしながら、プラテンギャップＰＧがより大きくなると、比例関係が成り立たなくなっている。
【００４０】
図８は、プラテンギャップＰＧに対するインクの着弾ずれ量を示すグラフである。同図において、横軸はプラテンギャップＰＧの大きさを示し、縦軸は着弾位置のずれ量（目標着弾位置に対するＸ軸方向における位置ずれ量）である。なお、インクの平均速度Ｖｍは、プラテンギャップＰＧの大きさにかかわらず一定となっている。同図に示すように、プラテンギャップＰＧが小さい領域（例えば、０．５ｍｍ〜１．０ｍｍ）における着弾位置ずれ量は、比較的小さくなっている。一方、プラテンギャップＰＧが大きくなるにつれて着弾位置ずれ量は大きくなっている。
【００４１】
このように、プラテンギャップＰＧが変化する場合において、インクの平均速度を一定としてインクの噴射タイミングを調整しても、実際に着弾させたい位置からずれてインクが着弾することになる。本実施形態では、プラテンギャップＰＧの変化に対するインクの平均速度Ｖｍの変化も考慮して、インクの噴射タイミングが調整される。
【００４２】
図９は、本実施形態におけるインクの着弾位置の調整、即ち、インクの噴射タイミングの調整処理を説明するためのフローチャートである。
まず、記録媒体Ｓにおける主走査方向のプラテンギャップＰＧが求められる（Ｓ１）。上述したように、本実施形態においては、記録媒体Ｓに対するインクの噴射処理の前に、記録媒体Ｓに対して記録ヘッド８を走査させて、ギャップ検出器によってプラテンギャップＰＧが動的に検出される。これにより、記録媒体Ｓに対する記録ヘッド８の走査位置に応じたプラテンギャップＰＧが把握される。なお、プラテンギャップＰＧの検出方法については、これには限られず、搬送ローラー１５やプラテン１６等によって記録媒体Ｓに意図的にコックリングを形成し（即ち、プラテン等の形状に倣うように矯正し）、当該コックリングの形状から推定する構成を採用することもできる。また、本実施形態では、ギャップ検出器によって記録媒体Ｓのプラテンギャップの変動範囲を把握し、この範囲内で複数のプラテンギャップレベルを段階的（例えば３段階）に設定しておき、これらのプラテンギャップレベルの中から、検出されたプラテンギャップにより近いレベルを調整時のプラテンギャップＰＧとして採用する。プラテンギャップレベルの中には、少なくとも理想的な状態のＰＧ０が基準値として含まれる。記録媒体Ｓのプラテンギャップは、ヘッド移動方向、即ち、主走査方向の位置によって異なる場合があるので、プラテンギャップＰＧは、主走査方向の位置情報と対応付けてメモリー２６に記憶される。
【００４３】
次に、プラテンギャップＰＧ（プラテンギャップレベルを含む。以下同様。）に応じて駆動信号ＣＯＭがノズル列毎に選択される。なお、プラテンギャップレベルを設けずに、駆動信号の各駆動パルスの発生タイミングを都度調整する場合、検出されたプラテンギャップＰＧに基づいて、インク滴の噴射タイミングの調整時間が逐次算出される。本実施形態において、平均速度Ｖｍに関し、検出されたプラテンギャップＰＧに応じた値が求められる。このため、図６（ｂ）に示すようなプラテンギャップＰＧと平均速度Ｖｍとの対応テーブル又は平均速度Ｖｍを算出するための計算式がプリンター１のメモリー２６に記憶されている。調整時間ΔＴは、上記式（１）に各値を代入することで求めることができる。
【００４４】
本実施形態のように複数のプラテンギャップレベルのうちの何れかより近いものを調整時のプラテンギャップＰＧとする構成の場合、図１０に示すように、各プラテンギャップレベルにそれぞれ対応した駆動信号ＣＯＭを、プラテンギャップレベルの数と同数（本実施形態ではＣＯＭ１〜ＣＯＭ３の３種類）だけ用意し、プラテンギャップレベルに応じた駆動信号ＣＯＭを選択することで、噴射タイミングを調整することができる。即ち、各駆動信号ＣＯＭに含まれる噴射パルスの発生タイミングは、対応するプラテンギャップレベルに応じた各値（平均速度等）が上記式（１）に代入されて算出された分だけ調整されている。このように、プラテンギャップＰＧ、当該プラテンギャップＰＧに基づいて求められる平均飛翔速度Ｖｍ又は到達時間Ｔｉｍｅ、および、キャリッジ移動速度Ｖｃｒに基づいて発生タイミングがそれぞれ設定された駆動信号ＣＯＭ１〜３を駆動信号生成回路４が発生することができるようになっている。このような構成を採用することで、インク滴の噴射タイミングの調整時間を逐次算出する必要がなく、処理時間を短縮することができる。また、駆動信号を発生するための回路構成を必要最小限にすることができる。
【００４５】
図１０に示すように、本実施形態における駆動信号ＣＯＭは、単位周期Ｔ内に、第1駆動パルスＰＳ１（噴射パルスの一種）、第２駆動パルスＰＳ２、第３駆動パルスＰＳ３（噴射パルスの一種）、及び第４駆動パルスＰＳ４（噴射パルスの一種）を含む。駆動信号ＣＯＭの繰り返し周期である単位周期Ｔは、記録ヘッド８と記録媒体Ｓとの相対移動速度において、当該記録媒体Ｓに対して画像等を形成する際の画像形成単位である１画素分に対応する期間である。そして、この１画素において、これらの駆動パルスのうちの１つが選択的に圧電振動子３２に印加されて、各サイズのドットを形成するためのインク滴がノズル４３から噴射される。本実施形態では、大ドット、中ドット、及び小ドットの３種類の大きさのドットが形成可能に構成されている。第１駆動パルスＰＳ１は、単位周期Ｔにおける区間Ｔ１において生成され、この駆動パルスが圧電振動子３２に印加されると、中ドットに対応する量のインク滴がノズル４３から噴射される。第２駆動パルスＰＳ２は、区間Ｔ２において生成され、この駆動パルスが圧電振動子３２に印加されると、インク滴が噴射されない程度にノズル４３におけるメニスカスが微振動される。第３駆動パルスＰＳ３は区間Ｔ３において生成され、この駆動パルスが圧電振動子３２に印加されると、大ドットに対応する量のインク滴がノズル４３から噴射される。また、第４駆動パルスＰＳ４は区間Ｔ４において生成され、この駆動パルスが圧電振動子３２に印加されると、小ドットに対応する量のインク滴がノズル４３から噴射される。なお、各駆動パルスの形状は例示したものには限られず、ノズル４３から噴射するインクの量等に応じて種々の波形のものが採用される。
【００４６】
上記駆動信号ＣＯＭ１〜ＣＯＭ３のうち、第１の駆動信号ＣＯＭ１は、理想的な状態のＰＧ０に対応する基準となる駆動信号である。したがって、検出されたプラテンギャップがＰＧ０に対応する場合、この第１の駆動信号ＣＯＭ１が選択される。また、第２の駆動信号ＣＯＭ２は、微振動パルスである第２駆動パルスＰＳ２を除く各駆動パルスの発生タイミングが、第１の駆動信号ＣＯＭ１において対応する駆動パルスの発生タイミングを基準として早められるように設定されている。したがって、この第２の駆動信号ＣＯＭ２は、インク滴の噴射タイミングを早める場合に選択される駆動信号である。一方、第３の駆動信号ＣＯＭ３は、第２駆動パルスＰＳ２を除く各駆動パルスの発生タイミングが、第１の駆動信号ＣＯＭ１の対応する駆動パルスの発生タイミングを基準として遅らせるように設定されている。したがって、この第３の駆動信号ＣＯＭ３は、インク滴の噴射タイミングを遅らせる場合に選択される駆動信号である。本実施形態では、プラテンギャップレベルに応じてＣＯＭ１〜ＣＯＭ３の３つの駆動信号を用意する構成を例示したがこれには限られず、より多くのプラテンギャップレベルを設定し、駆動信号ＣＯＭの数もこれに応じてより多く用意する構成を採用することもできる。これにより、より細かく適切なタイミング調整を行うことができる。なお、駆動パルスの調整時間ΔＴについては、駆動パルス毎、即ち、ドットサイズ毎に異なっている。この点については後述する。なお、微振動パルスである第２駆動パルスＰＳ２の発生タイミングは各駆動信号ＣＯＭにおいて共通のタイミングとなる構成を例示したが、これには限られず、各駆動信号ＣＯＭにおけるその他の駆動パルスＰＳ１，ＰＳ３，ＰＳ４と同様に、第１の駆動信号ＣＯＭ１の対応する駆動パルスの発生タイミングに対して変更しても良い。
【００４７】
そして、プリンター１は、プラテンギャップＰＧに応じて噴射タイミングが調整された駆動信号ＣＯＭをノズル列毎に選択して、当該駆動信号ＣＯＭを用いてインクの噴射を行う（Ｓ３）。上述したように、記録媒体Ｓのプラテンギャップは、主走査方向の位置によって異なる場合があるので、主走査方向の位置情報に応じたプラテンギャップＰＧがノズル列毎にメモリー２６から読み出される。読み出されたプラテンギャップＰＧに対応する駆動信号ＣＯＭがノズル列毎に逐次選択される。これにより、記録媒体Ｓに撓みやコックリングが生じてプラテンギャップＰＧが主走査方向の位置に応じて異なる場合においても、各ノズル列のノズル４３から噴射されたインク滴が記録媒体Ｓ上の本来目標とする位置或いは当該目標位置に可及的に近い位置に着弾される。これにより、各ノズル列において記録媒体Ｓに対するインクの着弾位置ずれが抑制される。その結果、記録媒体Ｓに画像等を記録する場合に、記録画像等の画質が低下することが抑制される。
【００４８】
なお、上記では、インクの平均速度に基づいて調整時間ΔＴを求める構成を例示したが、これには限られない。例えば、ノズル４３から噴射されたインク滴が記録媒体Ｓに着弾するまでの到達時間Ｔｉｍｅに基づいて調整時間ΔＴを求める構成を採用することも可能である。到達時間Ｔｉｍｅに基づいて噴射タイミングを調整する場合には、図７（ｂ）に示されるようなプラテンギャップＰＧと到達時間Ｔｉｍｅとを対応付けたテーブル又は到達時間Ｔｉｍｅを求める計算式がメモリー２６に用意され、このテーブルに基づいて検出されたプラテンギャップＰＧに応じた到達時間Ｔｉｍｅが選択される。そして、調整時間ΔＴの算出の際には、対応するプラテンギャップＰＧを到達時間Ｔｉｍｅで除算することにより、インクの平均速度Ｖｍを求めることができる。その後は上記と同様にインクの噴射タイミングを調整することができる。
【００４９】
ここで、ノズル４３から噴射されるインク滴の大きさが異なる場合にもインクの平均速度Ｖｍが異なる場合がある。これは、インク滴の大きさによって空気抵抗等が異なるためである。また。高速印刷モードや高解像度印刷モード等のように、印刷モードが異なる場合においても、それぞれのモードで噴射するインク滴の大きさが異なるので、インクの平均速度も異なる。一般的に、高速印刷モードでは、より大きいインク滴を噴射させることで記録媒体Ｓにおけるより広い面積にドットを形成する一方、高解像度印刷モードでは、より小さいインク滴を噴射させることで記録媒体Ｓにおけるより狭い面積にドットを形成する傾向にある。したがって、印刷モード毎に、プラテンギャップレベルに対応した複数の駆動信号ＣＯＭが用意され、さらに各駆動信号ＣＯＭにおいて各ドットサイズに対応する駆動パルス毎に調整時間ΔＴが定められている（図１０参照）。このようにすることで、印刷モードの違いおよびインク滴の大きさ（ドットのサイズ）の違いに応じて、より適切なタイミングでインクを噴射することが可能となる。
【００５０】
図１１（ａ）は、ノズル列Ａおよびノズル列Ｂからそれぞれ記録媒体Ｓにインクを噴射して着弾させたときの着弾位置ずれについて説明するイメージ図である。同図において、横軸は、記録媒体Ｓの主走査方向の位置を示し、図５におけるＸ軸方向に対応している。また、縦軸は、インク滴の着弾位置ずれの大きさを示しており、０は、ＰＧ０に対応する着弾位置を示し、上に向かうほど着弾が遅く（ヘッド移動方向、即ち主走査方向の先方側（記録ヘッド８の移動方向を基準として下流側）にずれ）、下に向かうほど着弾が早く（ヘッド移動方向、即ち主走査方向の後方側（記録ヘッド８の移動方向を基準として上流側）にずれる）なることを示している。また、縦軸は、噴射タイミングの調整時間も兼ねており（タイミング調整量）、図１１（ａ）の場合、駆動信号ＣＯＭ１に対応する調整時間が示されている。調整時間（調整量）については、上に向かうほどタイミングを基準Ｔｂよりも遅め、下に向かうほどタイミングを基準よりも早くすることになる。同図において、実線がノズル列Ａに対応する着弾位置を示し、一点鎖線がノズル列Ｂに対応する着弾位置を示している。また、太い実線は、タイミング調整量を示している（以下、同様）。なお、主走査方向両端部のタイミング調整量が変化しているのは、キャリッジ１２（記録ヘッド８）が加減速する際に、速度が一定しないことによる着弾位置ずれが生じないように噴射タイミングが調整されているからである。この図１１（ａ）に示すように、プラテンギャップＰＧの変化を考慮せずに、インクを噴射するタイミングを調整しない構成では、ノズル列Ａのノズル４３からインクを噴射したときの着弾位置と、ノズル列Ｂのノズル列４３からインクを噴射したときの着弾位置との双方で、プラテンギャップＰＧの変化に起因する着弾位置ずれが生じていることが判る。
【００５１】
図１１（ｂ）は、ノズル列Ａのノズル４３からインクを噴射したときの位置ずれを調整するべく、ノズル列Ａ及びノズル列Ｂの双方に対して同じ量だけ噴射タイミングを調整した場合の着弾位置ずれを示すイメージ図である。この例では、ノズル列Ａの着弾位置ずれを補正するべく、当該ノズル列Ａのノズル４３からインクを噴射する時点に対応するプラテンギャップＰＧに応じた駆動信号ＣＯＭが選択され、当該駆動信号ＣＯＭが全てのノズル列に共通に用いられた場合である。この場合、ノズル列Ａにおいては、適切なタイミングでインクが噴射されるので、着弾位置ずれ量が抑制されている。しかしながら、ノズル列Ｂのノズル４３からインクを噴射する場合、ノズル列Ａの場合とではプラテンギャップＰＧが異なるので、適切な調整量となっておらず、着弾位置ずれが生じていることが判る。即ち、図５の例において、ノズル列Ｂに対してノズル列Ａの場合と同じ調整時間ΔＴａだけ噴射タイミングを早めた場合、このノズル列Ｂのノズル４３から噴射されたインク滴の着弾位置Ｄｂ′は、本来目標とする着弾位置ＤｂｘよりもΔＬａｂだけヘッド移動方向（主走査方向）の後方側（上流側）にずれてしまう。したがって、噴射タイミングの調整は、ノズル列毎に行われる必要がある。
【００５２】
図１１（ｃ）は、各ノズル列のノズル４３からインクを噴射したときの位置ずれを調整するべく、ノズル列毎に噴射タイミングを調整した場合の着弾位置ずれを示すイメージ図である。この例では、ノズル列毎に、それぞれのプラテンギャップＰＧに応じた駆動信号ＣＯＭが選択され、当該駆動信号ＣＯＭを用いてインクの噴射が行われる。この場合、各ノズル列において適切なタイミングでインクが噴射されるので、ノズル列Ａ及びノズル列Ｂの双方で着弾位置ずれ量が抑制されている。
【００５３】
なお、本発明は、上記した各実施形態に限定されるものではなく、特許請求の範囲の記載に基づいて種々の変形が可能である。
【００５４】
上記実施形態では、記録媒体Ｓに対して記録ヘッド８を移動させながらインクの噴射を行う構成を例示したが、これには限られない。例えば、記録ヘッド８の位置を固定した状態で、当該記録ヘッド８に対して記録媒体Ｓを移動させながらインクの噴射を行う構成を採用することもできる。要は、記録ヘッド８と記録媒体Ｓとが相対移動しながらインクを噴射して記録媒体Ｓにインクを着弾させる構成であれば、本発明を適用することができる。
【００５５】
また、上記実施形態では、圧力発生部として、所謂縦振動型の圧電振動子３２を例示したが、これには限られず、例えば、所謂撓み振動型の圧電素子を採用することも可能である。この場合、上記実施形態で例示した噴射パルスＰＳに関し、電位の変化方向、つまり上下が反転した波形となる。
さらに、圧力発生部としては圧電素子には限らず、圧力室内に気泡を発生させる発熱素子や静電気力を利用して圧力室の容積を変動させる静電アクチュエーター等の各種圧力発生部を用いる場合にも本発明を適用することができる。
【００５６】
そして、以上では、液体噴射装置の一種であるインクジェット式プリンター１を例に挙げて説明したが、本発明は、液体噴射ヘッドと着弾対象とを相対移動させながら液体の噴射を行う液体噴射装置にも適用することができる。例えば、液晶ディスプレイ等のカラーフィルターを製造するディスプレイ製造装置，有機ＥＬ（Electro
Luminescence）ディスプレイやＦＥＤ（面発光ディスプレイ）等の電極を形成する電極製造装置，バイオチップ（生物化学素子）を製造するチップ製造装置，ごく少量の試料溶液を正確な量供給するマイクロピペットにも適用することができる。
【符号の説明】
【００５７】
１…プリンター，２…搬送機構，３…キャリッジ用移動機構，４…駆動信号生成回路，６…検出器群，７…プリンターコントローラー，８…記録ヘッド，１２…キャリッジ，１６…プラテン，３２…圧電振動子，４１…圧力室，４３…ノズル，Ｓ…記録媒体
【図１】
2011235518.tif 000003
【図２】
2011235518.tif 000004
【図３】
2011235518.tif 000005
【図４】
2011235518.tif 000006
【図５】
2011235518.tif 000007
【図６】
2011235518.tif 000008
【図７】
2011235518.tif 000009
【図８】
2011235518.tif 000010
【図９】
2011235518.tif 000011
【図１０】
2011235518.tif 000012
【図１１】
2011235518.tif 000013